Podtech/llm-jp-corpus-v4-ja_patent huggingface dataset:
(57)【要約】      （修正有）【課題】柄付き調理器具は引き出しに収納するか、柄の持ち手部分の端部を工夫してフックなどに吊り下げて収納されてきたが、取り出しにくい、必要な器具が見つけにくい、さらに大容量の調理器具の収納が困難であった。以上の問題点を解決することを目的とする。【解決手段】一般的に柄付き調理器具は、柄の一端が持ち手部分、その反対側先端が用途に合わせた３次元形状の本体部分であり、柄や持ち手部分より本体が大きい形状である。そこで、柄や持ち手部分の太さより大きくかつ本体より小さい格子目を持つ金網状の板に、持ち手部分を下にして格子２の網目に本体が引っかかるように柄付き調理器具を差し込んで収納する。さらに格子目を持つ金網状の板の一部に突起片３をつけて、収納の簡便さを図る柄付き調理器具の収納具。【選択図】図３
2011110415.tif 000002
【特許請求の範囲】
【請求項１】
本体枠の内側に複数の格子を持ち、片面に突起片を設けた本体枠を吊り下げることを特徴とした柄付き調理器具の収納具。
【発明の詳細な説明】
【技術分野】
【０００１】    本発明は、柄付き調理器具の収納に関するものである。
【背景技術】
【０００２】    従来、お玉やフライ返しなど柄付き調理器具は引き出しに収める、あるいは柄の持ち手部分の端部に付いた穴や曲げ加工を利用して吊り下げて収納していた。
【発明の概要】
【発明が解決しようとする課題】
【０００３】    柄付き調理器具は、引き出しに入れることにより数多く収納が可能となるが、雑に収納されるため必要な器具の抽出が困難、引き出しの奥の器具が取り出しにくい、さらに器具が増えると引き出しに器具が引っかかり引き出しの開閉が困難になるので、引き出しの開閉に時間掛かることが多々あった。柄の持ち手部分の端部を工夫してフックなどに吊り下げて収納する場合、１器具あたりの占有収納スペースが広くなることから数多くの器具の収納が困難であった。器具によって吊り下げ方式が異なる点、そしてフックからはずしにくいなどの問題点があった。
本発明は、以上の問題点を解決することを目的とする。
【課題を解決するための手段】
【０００４】      本体枠の内側に複数の格子を持ち、片面に突起片を設けた本体枠を吊り下げることを特徴とした柄付き調理器具の収納具を用いる。
【発明の効果】
【０００５】    本柄付き調理器具の収納具は、調理台下部の戸棚の扉や壁に取り付けて調理器具を収納することにより、従来使用されていない空間の有効利用を可能とする。格子目に差し込むだけの動作であることから、収納や取り出しが簡便である。柄付き調理器具の手持ち部分を下部にして本体が上部になるように収納することから、本体の形状が見やすくなり、必要とする器具を見つけやすく、さらに何が収納されているかがわかりやすい。ひとつの格子目に複数の柄付き調理器具を差し込むことが可能であることから、小スペースで大容量の収納を実現できる。
以上のように本収納具は、場所をとらずに大量の柄付き調理器具が収納でき、さらに出し入れが簡便であるので大変便利である。
【図面の簡単な説明】
【０００６】
【図１】本発明の斜視図
【図２】本発明の取り付け断面図
【図３】本発明の使用状態を示す斜視図
【図４】本発明のデザイン応用例を示す斜視図
【発明を実施するための形態】
【０００７】    本発明の構造は、図１に示すとおり、本体の枠（１）・格子（２）・突起片（３）からなる。四角形状の枠（１）を設け、内側に複数の格子（２）を設ける。格子（２）は、柄付き調理器具の柄や持ち手部分の太さより大きくかつ持ち手部分の反対側に付く調理器具本体より小さい格子目とする。枠（１）を垂直に立てたとき、その片面の下部となる辺の両端の部位に、略直角状に突起片（３）を設ける。
本体の取り付けは、図２に示すように壁・シンク扉などの平らな垂直面にフック（４）をつけて、突起片（３）のある部分が下部・背面となるようにして枠（１）をフック（４）に吊り下げる。このとき、取り付け面に対してフック（４）は固定、突起片（３）は接触のみの非固定とする。
本体の使用は、図３に示すようにフライ返し（５）・お玉（６）・しゃもじ（７）などの柄付き調理器具の柄の持ち手部分を格子（２）の穴に差し込み、持ち手部分の反対側に付く調理器具本体が格子目に引っかかるようにして柄付き調理器具を収納する。格子目に無造作に差し込むだけで収納ができることから、片手での収納・取り出しが可能である。またひとつの格子目に複数の調理器具の挿入が可能であることから、大容量の調理器具を収納できる。差し込まれた調理器具の柄が取り付け面を押すことにより、本体はフック（４）で吊られた辺を軸として、図２中の白抜き矢印のように垂直方向から水平方向に向けて回転する。これによりに取り出しやすく、さらに調理器具の見分けがしやすくなる。本体の突起片（３）は、収納調理器具が無いときに取り付け面を押して本体格子面を斜めの状態に維持をして、調理器具の収納のガイド役を果たす。
本体は、格子目に無造作に調理器具を差し込むだけの動作であることから、枠（１）・格子（２）・突起片（３）の形状のデザイン性は自由度が高い。楕円形の枠や不規則性を持つ格子など、本発明の効能を大きく軽減しないでデザインをすることが可能である。さらに格子目の一部を細かくすることにより、計量スプーンなど小さな柄付き調理器具の収納を実現できる。図４は格子（２）を亀甲型に変形した例である。
【符号の説明】
【０００８】    （１）枠、（２）格子、（３）突起片、（４）フック、（５）フライ返し、（６）お玉、（７）しゃもじ
【図１】
2011110415.tif 000003
【図２】
2011110415.tif 000004
【図３】
2011110415.tif 000005
【図４】
2011110415.tif 000006
(57)【要約】【課題】従来の洗髪では、シャワーのお湯が髪を洗い流す手から肘を伝って床に落ち、床を濡らしていた。そのため、床の拭き掃除が発生する。  また、床が濡れていれば、転倒する危険性も考えられます。本発明は、洗面台洗髪での床濡れ防止するための洗面台洗髪床濡れ防止用具を提供する。【解決手段】柔軟性があり、ゴム的弾性及び、接着性に優れている汎用プラスチックを円錐台に加工する。その円錐台を筒状に刳り貫き貫通させて穴をあけ、取り付けベースを構成する。その取り付けベースの下の部分に同じ材質のものでつば部を取り付ける。【選択図】図３
2011110412.tif 000002
【特許請求の範囲】
【請求項１】
柔軟性があり、ゴム的弾性及び、接着性に優れている汎用プラスチックを円錐台に加工して、その円錐台を筒状に刳り貫き貫通させて穴をあけることによって、取り付けベースを構成し、その取り付けベースの下の部分に同じ材質のものでつば部を取り付けた洗面台洗髪床濡れ防止用具。
【発明の詳細な説明】
【技術分野】
【０００１】  本発明は、洗面台洗髪での床濡れを防止するための用具に関するものである。
【背景技術】
【０００２】  従来、洗面台での洗髪は、床濡れを防止するため、足元にバスマットやバスタオルをひいていた。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  従来の洗髪では、シャワーのお湯が髪を洗い流す手から肘を伝って床に落ち、床を濡らしていた。そのため、床の拭き掃除が発生する。また、床が濡れていれば、転倒する危険性も考えられます。
本発明は、以上の問題点を解決するためになされたものである。
【課題を解決するための手段】
【０００６】  柔軟性があり、ゴム的弾性及び、接着性に優れている汎用プラスチックを円錐台に加工する。その円錐台を筒状に刳り貫き貫通させて穴をあけ、取り付けベースを構成する。その取り付けベースの下の部分に同じ材質のものでつば部を取り付ける。以上の構成よりなる洗面台洗髪床濡れ防止用具。
【発明の効果】
【０００７】  髪を洗い流す手の腕に本発明を装着することで手から肘を伝って流れ落ちるお湯を本発明のつば部分で堰止め、そのお湯が洗面台に流れ落ちて行くので床が濡れなくなる。そのため、床の拭き掃除がなくなる。また、床濡れでの転倒の危険性から回避できる。
【図面の簡単な説明】
【０００８】
【図１】本発明の取り付けベースを示す斜視図
【図２】本発明の組立を示す斜視図
【図３】本発明の使用状態を示す斜視図
【発明を実施するための形態】
【０００９】  以下、本発明の実施の形態を説明する。
（イ）柔軟性があり、ゴム的弾性及び、接着性に優れている汎用プラスチックを円錐台（１）に加工する。その円錐台（１）を筒状に刳り貫き貫通させて穴（２）をあけ、取り付けベース（３）を構成する。
（ロ）その取り付けベース（３）の下の部分に同じ材質のものでつば部（４）を取り付ける。以上の構成よりなる洗面台洗髪床濡れ防止用具。
本発明を使用するときは、髪を洗い流す手の腕に本発明のつば部（４）のある方を肘側にして穴（２）に手を入れ腕の中心あたりに装着する。
洗髪時は、前屈みになりつば部（４）が洗面台から食み出ない様にする。
【符号の説明】
【００１０】  １  円錐台
２  穴
３  取り付けベース
４  つば部
Ａ  洗面台洗髪床濡れ防止用具
Ｂ  髪を洗い流す手の腕
Ｃ  洗面台
Ｄ  シャワー
【図１】
2011110412.tif 000003
【図２】
2011110412.tif 000004
【図３】
2011110412.tif 000005
(57)【要約】      （修正有）【課題】持ち運ぶ時にかさばる事なく、使用する時に安定した形を保つ事のできる洗面器を提供する。【解決手段】洗面器１を折り畳み式にして持運びやすくする。また、折り畳む部分に形状記憶合金を使用する。【選択図】図１
2011110416.tif 000002
【特許請求の範囲】
【請求項１】
折り畳み式にしたことを特徴とする洗面器。
【請求項２】
形状記憶合金を使用したことを特徴とする洗面器。
【発明の詳細な説明】
【技術分野】
【０００１】この発明は洗面器を折り畳み式にして使用する時のみ開いて用いるものである。
【背景技術】
【０００２】從来の洗面器は持運ぶ時にかさばってスポーツバッグ等に入れづらいので捨てている。
【発明の開示】
【発明が解決しようとする課題】
【０００３】かさばるために洗面器を持たずにスポーツセンターに行ってシャワーを使い水を出しっはなしにして石けん分の付いたタオルを洗って時間と水をむだ使いしていた。
山のぼりでは帰りに洗面器を川等に捨てていた。
【課題を解決するための手段】
【０００４】この課題を解決するにめの請求項１の発明は折り畳み式にしたことを特徴とした洗面器であるこれでスポーツバッグにらくにはいる。【０００５】また請求項２の発明は折り畳むところに形状記憶合金を使用したことを特徴とする洗面器であるこれで使用する時に正しい形になる。
【発明の効果】
【０００６】本発明により洗面器がかさばる事なくまた使用する時に安定した正しい形をたもち使用する事が出来る。
【発明を実施するための最良の状態】
【０００７】図１は側面を折り畳むことを特徴とする折り畳み式洗面器の斜面図である同図に示す通りに折り畳めば板状態になり持運びがらくになる。
【０００８】図２（Ａ）は上部２ケ所に形状記憶合金をつけその他の面はもう１枚補強した状態の立面図である。
【０００９】これらの洗面器の材料のビニールなどは通常のもので良いまた洗面器の形は３角でも６角でも８角でも丸でも良い要は折り畳めて使用する時問題なけれは良い。
【産業上利用可能性】
【００１０】本発明に係る洗面器は工業的に量産可能であるため産業上の利用可能性を有する。
【図面の簡単な説明】
【００１１】
【図１】折り畳み式洗面器の斜面図であるすべて内側に折り畳む方式である。
【図２】折り畳み式洗面器の立面図である（Ａ）が折り畳む以前で（Ｂ）が以後である。
【図３】折り畳み式洗面器の平面図である（Ｃ）が折り畳む以前で（Ｄ）が以後である。
【図４】折り畳み式洗面器の側面図である（Ｅ）が折り畳む以前で（Ｅ）が以後である。
【符号の説明】
【００１２】１  洗面器本体ビニール
２  洗面器補強板ビニール
３、形状記憶合金
４、形状記憶合金の中央から折り曲げて内側に畳む
５  もう片方の側を内側に倒して畳む
【図１】
2011110416.tif 000003
【図２】
2011110416.tif 000004
【図３】
2011110416.tif 000005
【図４】
2011110416.tif 000006
【手続補正書】
【提出日】平成22年1月19日(2010.1.19)
【手続補正１】
【補正対象書類名】図面
【補正対象項目名】図２
【補正方法】変更
【補正の内容】
【図２】
2011110416.tif 000007
【手続補正２】
【補正対象書類名】図面
【補正対象項目名】図３
【補正方法】変更
【補正の内容】
【図３】
2011110416.tif 000008
【手続補正書】
【提出日】平成22年1月28日(2010.1.28)
【手続補正１】
【補正対象書類名】明細書
【補正対象項目名】００１１
【補正方法】変更
【補正の内容】
【００１１】
【図１】折り畳み式洗面器の斜面図であるすべての内側に折り畳む方式である
【図２】折り畳み式洗面器の立面図である（Ａ）が折り畳む以前で（Ｂ）が以後である
【図３】折り畳み式洗面器の平面図である（Ｃ）が折り畳む以前で（Ｄ）が以後である
【手続補正２】
【補正対象書類名】明細書
【補正対象項目名】００１２
【補正方法】変更
【補正の内容】
【００１２】１  洗面器本体ビニール２  洗面器補強板ビニール３、形状記憶合金４、形状記憶合金の中央から折り曲げて内側に畳む５  もう片方の側を内側に倒して畳む
【手続補正３】
【補正対象書類名】図面
【補正対象項目名】図２
【補正方法】変更
【補正の内容】
【図２】
2011110416.tif 000009
【手続補正４】
【補正対象書類名】図面
【補正対象項目名】図３
【補正方法】変更
【補正の内容】
【図３】
2011110416.tif 000010
【手続補正５】
【補正対象書類名】図面
【補正対象項目名】図４
【補正方法】削除
【補正の内容】
(57)【要約】【課題】  調理時に鍋つかみを使用する際、鍋つかみを装着する手間を省き、使用しない時に邪魔にならない、速攻鍋つかみを提供する。【解決手段】  手首部分の袖口と肘部分の袖を上下にスライドさせることができる、腕抜き本体の手首部分の袖口に近い手のひら側に、所定広さの厚手の生地を設けたことを特徴とする速攻鍋つかみ。【選択図】図１
2011110401.tif 000002
【特許請求の範囲】
【請求項１】
手首部分の袖口と肘部分の袖を上下にスライドさせることができる、腕抜き本体の手首部分の袖口に近い手のひら側に、所定広さの厚手の生地を設けたことを特徴とする速攻鍋つかみ。
【発明の詳細な説明】
【技術分野】
【０００１】  本発明は、腕抜きと鍋つかみが一体化した、速攻鍋つかみに関するものである。
【背景技術】
【０００２】  従来、鍋つかみを使用する時は、手袋型のものをその都度手に装着して使用していた。
【発明の開示】
【発明が解決しようとする課題】
【０００３】    そのために、次のような問題があった。
（イ）手袋状の鍋つかみを手に装着したり脱いだりすることが面倒である。
（ロ）鍋つかみが独立して単体になっているので、使用しない時は邪魔になる。
本発明は以上の問題点を解決しようとするものである。
【課題を解決するための手段】
【０００４】  上記問題点を解決するため本発明は、手首部分の袖口と肘部分の袖を上下にスライドさせることができる、腕抜き本体の手首部分の袖口に近い手のひら側に所定広さの厚手の生地を設けたことを特徴とする速攻鍋つかみである。
【発明の効果】
【０００５】  腕抜きと鍋つかみが一体化しているため、通常は腕抜きを使用することで袖の濡れや汚れを防止し、鍋つかみ使用時には鍋つかみを手に装着する手間が省け、使用しない時に邪魔にならないため、迅速、快適に調理に専念できる。
【発明を実施するための最良の形態】
【０００６】  以下、本発明の実態について説明する。
（イ）腕抜き本体（１）の袖口（２）を図２の要領で下へ引っ張る。
（ロ）袖口（２）を下へ引っ張った事で、厚手生地（３）が手のひら全体を覆うため、図      ３の状態になるので、図４の要領で、鍋ややかん等熱いものをつかむことができる      。
（ハ）厚手生地（３）は、鍋つかみを使用しない時は、肘上部（４）を図５の要領で肘上      部分の位置まで引っ張り上げ、袖口を通常の手首位置の長さに戻すことができる。
（ニ）割烹着の袖口部分に速攻鍋つかみをはめるか、私服の上にはめることは可能である      。
【図面の簡単な説明】
【０００７】
【図１】本発明を着用した状態の正面図
【図２】本発明の使用状態を示す図
【図３】本発明の正面図
【図４】本発明の使用状態を示す断面図
【図５】本発明の使用状態図
【符号の説明】
【０００８】    １    腕抜き本体
２    袖口
３    厚手生地
４    肘上部
【図１】
2011110401.tif 000003
【図２】
2011110401.tif 000004
【図３】
2011110401.tif 000005
【図４】
2011110401.tif 000006
【図５】
2011110401.tif 000007
(57)【要約】      （修正有）【課題】介護洗髪時、染髪時の濡れ汚れを防ぐためのラップベールブーケを提供する。【解決手段】透明ビニル上部に細いゴムを複数縫いこむ等の方法で装着。その部分を包み込むようにビニルをまき、際を熱処理等で接着。筒状に巻きこみ上部を接着する。頭に装着して使用。水濡れ汚れを防ぐ事が出来る。【選択図】図１
2011110408.tif 000002
【特許請求の範囲】
【請求項１】
透明のビニル上部に複数の細いゴムをギャザ効果を持たせて縫込む等の方法で装着。その周りをビニルで包み込み、境目を熱処理等で密着し防水効果等を上げる。ゴム部分は筒状に接着。下部ビニルを開いて使用。人間の頭にフィットさせ、介護の洗髪時、染髪時の濡れ汚れを防ぐラップベールブーケ。
【請求項２】
筒状の形態の物。筒状下部のビニルの一部を切り開いた物。裁断の段階で前髪の部分を短くした物。シールを使用し家庭用ラップのように芯に巻かれたベール状のものを切って使う物。包み込み部分を省略し経済的にした物。髪の長さに合わせてビニル部分の長さの異なった物。ゴムの本数や幅を変え密着度を調節したもの等基本形から応用効果多様な潜在力を持つラップベールブーケ。
【請求項３】
緊急時、防雨、防寒にも使用できるラップベールブーケ。
【請求項４】
ビニルに色をつけたり、模様をつけたり、飾り切りしたりする事により、頭巾、マント、スカート、水洗い時のエプロン等の代わりにも利用できるラップベールブーケ。
【請求項５】
そのままはもちろん、色をかえたり、色のみでなくビニルの素材を変えたり、また素材自体を変える事もでき、多様な場面で効率的に使用できる。ファツション業界。冷蔵庫整理、掃除等の家事。学芸会、学園祭、体育祭等の学校行事。図工等の教育場面。事務所。花束や商品の包装等色々な場面で幅広い用途を持つラップベールブーケ。
【発明の詳細な説明】
【技術分野】
【０００１】    本発明は介護の洗髪時、髪染め時の濡れ汚れを防止するラップベールブーケに関するものである。
【背景技術】
【０００２】    従来、介護時の洗髪にはビニル等補助具があったが、漏れを防ぐためにはきつく縛らないと水漏れするため要介護者に不快感を与えたり、場合によっては圧迫痕を残すなどの心配があった。【０００３】    家庭で髪を染める機会が増えたが、従来のブーケは首から巻くものが主流で、耳を保護する商品もあるものの、顔、首などが汚れてしまう事が多かった。
【発明が解決しようとする課題】
【０００４】    介護の洗髪の際、今まであるビニル製の物を使うと水漏れを防ぐために強く締めつけたりタオル等を何枚も使わなくてはならなかった。強い締め付けは要介護者の健康上問題があるし、場合によっては圧迫痕を残すことになる。今までのビニル製の物は洗って繰り返し使うため皮膚病や細菌感染が心配だった。
【０００５】    家で髪を染める人が増えてきたが従来の商品では顔、耳、首、肩の汚れを一枚で防ぐ物が無かった。
【課題を解決するための手段】
【０００６】    透明のビニルの上部に細いゴムを間隔を取って数本縫いこむ等の方法で装着しその周りをビニルで巻きこんで境目を熱処理等で密着。筒状につなげる。下部は開放されている。
【０００７】    筒のまま頭の上からかぶり、髪の毛を筒にいれ、ゴム部分を頭に密着、耳の上にも合わせる。切れ目を額の中央に合わせて開く。複数のゴムが頭にフィット水漏れをガードする。洗髪時には以前より少ないタオル枚数で、髪染め時にはこれ一枚で汚れを防ぐ。
【発明の効果】
【０００８】    介護洗髪時、髪染め時の水濡れ汚れを防ぐ。中の様子が分かるので適切な対処ができる。
【０００９】    細いゴムを複数使い平たくすることで、圧迫を少なくし、水漏れを少なくする効果が期待できる。人体にも優しい。
【００１０】    繰り返し使用できる物ではあるが、介護等病院で使用する際は、感染症を防ぐため使い捨てにしても経済的になるよう開発できる余地がある。
【００１１】    家庭での髪染めのみでなく美容院での衛生的活用もできる。
【００１２】    防災時、教育の場面、家庭内、業務上、ファツション業界などでの使用も効果として考えられる。
【図面の簡単な説明】
【００１３】
【図１】ラップベールブーケの基本図
【図２】ラップベールブーケを切り開いた図
【図３】ゴム部分の図
【図４】ラップベールブーケ装着方法１
【図５】ラップベールブーケ装着方法２
【図６】前髪部分を作った物
【図７】芯に巻いたタイプの物
【図８】髪の毛の長さに合わせた物
【発明を実施するための形態】
【００１４】    以下、本発明の実施の形態を図に基づいて説明する。
【００１５】    図１はラップベールブーケの基本形である。図２は展開したものである。
ビニルに、現時点では透明で家庭用ラップより少し厚めの物で粘着力が多少なりともある素材、例えばポリ塩化ビニリデン、ポリエチレン等を候補としている。
【００１６】    ビニル上部に複数の細いゴムをギャザ効果を持たせて縫いこむ等の方法で装着−図２。周りをビニルで巻きこみ、際を熱処理等で接着−図３。図１のように切れ込みをのこしたまま上部を接着。
【００１７】    図１を上下逆にし、頭と髪の毛を入れる。額、耳の上などに注意し頭にゴム部分を密着させる−図４。
【００１８】    図５のように開いて使用する。
【００１９】    図６は前髪部分を短く裁断した物
【００２０】    図７は芯に巻かれたもので、頭の大きさに合わせて切れる。使用時はテープを使う。
【００２１】    図８は髪の長さに合わせて長さを変えた物。
【図１】
2011110408.tif 000003
【図２】
2011110408.tif 000004
【図３】
2011110408.tif 000005
【図４】
2011110408.tif 000006
【図５】
2011110408.tif 000007
【図６】
2011110408.tif 000008
【図７】
2011110408.tif 000009
【図８】
2011110408.tif 000010
(57)【要約】      （修正有）【課題】ＢＢ弾を使用するハンドガンタイプの玩具エアーガンで、弾込めをするにはマガジンフォローを指や爪で引き下げて行わなければならず、片手しか使うことができないので非常に困難な作業だった。本発明はマガジンフォローを引き下げた位置で固定することにより、両手を使ってスムーズに弾込め作業を行うためのマガジンフォロー留め具を提供する。【解決手段】プレートにマガジンフォローを引っ掛けるための爪を設け、そのプレートにマガジンに巻きつけるためのマジックテープ（登録商標）を設ける。【選択図】図１
2011110407.tif 000002
【特許請求の範囲】
【請求項１】
プレートの下部に爪を設け、マジックテープをプレートの両面に固定したマガジンフォロー留め具。
【発明の詳細な説明】
【技術分野】
【０００１】  本発明はＢＢ弾を使用する玩具でハンドガンタイプのエアーガンのマガジンフォローの留め具に関するものである。
【技術背景】
【０００２】  従来マガジンにＢＢ弾を込める時は指や爪でマガジンフォローを押さえていた。
【先行技術文献】
【０００３】
【特許文献】
【特許文献】
【非特許文献】
【非特許文献】
【発明の概要】
【発明が解決しようとする課題】
【０００４】  ハンドガンタイプの玩具エアーガンに於いてマガジンに弾込めをする際、マガジンフォローを指や爪で押さえながら弾込めをしていた。このため弾込めをするときは片手しか使えないので非常に不便である。マガジンフォローのスプリングは強い力で押し上げているので子供にとっては結構難しい作業である。又うっかり指を離してしまいマガジンフォローが勢いよく戻ってＢＢ弾をばら撒いてしまうことが多々ある。
本発明は以上の問題点を解決するためになされたものである。
【課題を解決するための手段】
【０００５】  上記の問題を解決するため本発明はマジックテープの先端よりやや内側にプレートを設ける。プレートにマガジンフォローを引っ掛けるための爪を設けた構造よりなるマガジンフォロー  留め具である。
【発明の効果】
【０００６】    従来細かい作業であり片手しか使えなかった弾込めを本発明により両手を使え、子供でも簡単に弾込め作業を行うことができる。また、従来ある弾込め補助具を併用すれば、より素早く簡単に弾込めを行うことができる。
【図面の簡単な説明】
【０００７】
【図１】本発明の斜視図
【図２】本発明の正面図
【図３】本発明の平面図
【図４】本発明の底面図
【図５】本発明の右側面図
【発明を実施するための形態】
【０００８】  以下、本発明の実施の形態を説明する。
イ）マジックテープ（３）の端よりやや内側にプレート（１）を設ける。
ロ）プレート（１）にはマガジンフォローを引っ掛けるための爪（２）を設ける。
本発明は以上のような構造である。
本発明を使用するときは、マガジンフォローにプレート（１）の爪（２）を引っ掛けマガジンに弾込めをする位置まで引き下げるか、またはマガジンフォローを引き下げた後にプレート（１）の爪（２）をマガジンフォローに引っ掛ける。次にマガジンフォローを引き下げた位置でマジックテープ（３）をマガジンに巻きつけマガジンフォローを固定することにより弾を込めるスペースが確保され、且つ両手を自由に使って楽々弾を込めることができる。
【符号の説明】
【０００９】（１）プレート
（２）爪
（３）マジックテープ
【図１】
2011110407.tif 000003
【図２】
2011110407.tif 000004
【図３】
2011110407.tif 000005
【図４】
2011110407.tif 000006
【図５】
2011110407.tif 000007
(57)【要約】      （修正有）【課題】汚れにくいＬＥＤ電球、塵埃の堆積が生じにくいＬＥＤ電球を提供する。【解決手段】電球型ＬＥＤ照明器具の放熱機構２の表面に紫外光（４００ｎｍ〜２５０ｎｍ）に反応する酸化チタンで代表される、光触媒材料の表面処理を行なう。【選択図】図３
2011142061.tif 000002
【特許請求の範囲】
【請求項１】
電球型ＬＥＤ照明器具の放熱部分の表面に、紫外光（４００ｎｍ〜２５０ｎｍ）に反応する酸化チタンで代表される光触媒用の表面処理を行うＬＥＤ照明電球。
【請求項２】
上記ＬＥＤ電球の放熱部分の表面に可視光（４００ｎｍ以上の波長）に反応する非酸化チタン系複合材を表面処理したＬＥＤ照明電球。
【請求項３】
上記請求項１及び２の処理と共に放熱部分に熱伝導良好な材質による環状対流促進部品を熱的に結合したＬＥＤ電球。
【発明の詳細な説明】
【発明の詳細な説明】
【技術分野】
【０００１】本発明は、ＬＥＤ電球の特性を最大活用するために関するものである。近時急速に普及し始めたＬＥＤ電球は次の大きな特徴がある。▲１▼低消費電力、▲２▼発光スピードが早い、▲３▼発熱温度が従来の白熱電球や蛍光灯式より低い。但し、欠点としてはＬＥＤ発光の特性上発光部分の温度上昇により照度が劣化する。そのため放熱機構を備えている。
【背景技術】
【０００２】ＬＥＤの温度上昇は従来電球に比べ絶対値では少ないながらも内部電源・抵抗等の温度上昇は数ワットで発生し、そのまま連続点灯では温度上昇により照度低下し、発光効率を著しく低下させる。そのため、ＬＥＤ電球は宿命として放熱機構を備えている。ＬＥＤ照明の長寿命（１０年以上）は長所の反面、一般的に高所への設置の場合電球のクリーニングが困難という問題を生じる。この電球のクリーニングは放熱機構への塵埃の堆積により放熱効果が減殺されるため、一定期間毎に必要とされる。【０００３】前記の如く、高所でのＬＥＤ電球クリーニングは作業困難を伴うと共に、多かれ少なかれ塵埃の堆積は照度を劣化させるので、平均照度の減少は免れない。
【発明が解決しようとする課題】
【０００４】上述の如く、ＬＥＤ照明の宿命というべき放熱機構の汚れを含む塵埃の堆積は、平均照度を劣化させ、消費電力対照度効果を悪化させる。これは、ＬＥＤ電球の今後の普及数の急拡大を見込めば、照度低下は極めて大きな社会的損失につながる。
【課題を解決するための手段】
【０００５】本発明は前記の課題を解決するため、汚れにくいＬＥＤ電球、塵埃の堆積が生じにくいＬＥＤ電球にするための表面処理に関するものである。
【発明の効果】
【０００６】光触媒作用は屋外における太陽光、室内における可視光と大別できるが、本発明は光触媒の基本特性をＬＥＤ電球放熱機構の表面に処理することにより達成するものである。
【０００７】光触媒の作用は、太陽光の場合代表的触媒例として酸化チタンが光照射されることで防汚・防臭・抗菌等の分解機能を発揮することは広く知られており、近時光波長４００ｎｍ以上の可視光としてタングステン基材により光触媒作用を行うことが実用化されている。これにより、接触する全ての有機化合物を水や炭酸ガスに分解することができる。この作用により、脱臭・浄化（クリーニング）・抗菌・防カビを行う。
【０００８】この作用を更に向上させるため、本発明では放熱フィンの溝上に熱的に接する輪状フィン７を放熱溝の外用端に接するように配置する。この断面（図３）形状は、航空機の翼状に近似させることにより、放熱溝表面の熱対流を促進させ放熱作用を促進するものである。
【０００９】この光触媒機構付ＬＥＤ電球の効果としては、▲１▼使用中の平均照度を最も効率よく利用できる、▲２▼放熱機構を含むＬＥＤ電球外表面のクリーニング浄化回数を大幅に削減し、通常室内では不要となる。このことは屋外における定期的クリーニング作用を不要とし、その費用節約は極めて大きな社会的利益の貢献といえる。
【００１０】このＬＥＤ電球の光触媒表面処理は、屋外においては白発光照射と共に太陽光照射を利用でき、屋内においては自らの発光により光触媒作用を行い一石二鳥の有効作用である。
【００１１】更にこの光触媒作用で重要なことは、セルフクリーニング作用と共に、抗菌と周囲空気の浄化作用を行うことで病院内での院内感染防止の一役を担い、一般家庭ではウィルスに対する浄化作用も行われる。
【実施例】
【００１２】図１にＬＥＤ電球の外観側面図、図２に内部要素断面図を示す。ＬＥＤ電球の構成は、口金１に結合されている放熱機構２及びその先端に発光透過球状ケース３で構成されている。【００１３】図２の内部断面によると、内部にＬＥＤ発光素子５が回路基板４に載置結合されている。【００１４】ＬＥＤ点灯時は基板と共に発熱し、内部気密空間６及び基板４を通じ放熱機構２に伝熱させる。【００１５】第３図は放熱フィン７の一端に環状フィンが熱的結合している断面図を示す。【００１６】この放熱機構（通常フィン状が多い）の表面に前記酸化チタンなどの光触媒材料を塗布することにより、太陽光または自発光ＬＥＤ照明などと共に有機物を分解し、放熱機構表面の汚れ防止、抗菌作用などを行う。
【産業上の利用の可能性】
【００１７】本発明は、家庭用・工業用・屋外用とＬＥＤ照明を用いる全ての分野のＬＥＤ照光装置にセルフクリーニング作用を行い、更に抗菌作用は病院・家庭内の感染症細菌に対する防御作用を行うもので、極めて広範囲に照明度の効率を最高の状態で常時使用できる。また、高所の交換作業もほぼ不要になり、総合的作業量の軽減等極めて有用なものである。
【図面の簡単な説明】
【００１８】
【図１】本発明ＬＥＤ電球の外観側面図
【図２】本発明ＬＥＤ電球の内部構成側面図
【図３】本発明環状フィンの断面図
【符号の説明】
【００１９】１、口金
２、放熱機構
３、発光電球
４、ＬＥＤ基板
５、ＬＥＤ発光素子
６、電球内空間
７、環状フィン
【図１】
2011142061.tif 000003
【図２】
2011142061.tif 000004
【図３】
2011142061.tif 000005
(57)【要約】【課題】人が寝転がってテレビを見る時は、テレビを横に置いてテレビの方に顔だけ向けるか、身体と顔を向けて見る、この形を長い間維持すると首が痛く成ったり肩がこったりする。発明は長い事同じ姿勢で我慢してテレビを見るのを止め、好きな時に寝返りをうちリラックスしてテレビを見る装置を提供する。【解決手段】図１の様に寝ている人がもし右側を向いてテレビを見たくなったら、図２の（６）の右回転押しボタンを押すとモニタ−はＢの方向へ動く、ボタンから手を離すとモ−タ−は止まりブレ−キが掛かる、テレビを見ている人はＡ−Ｂ間どの角度でもリラックスしてテレヒを見る事が出来る事を特徴とする。【選択図】図２
2011142600.tif 000002
【特許請求の範囲】
【請求項１】
ベッド上の仰臥者のオーバーヘッドに取り付けられた回転柱と、該回転柱の先端に取り付けられた略水平の支持棒と、該支持棒に取り付けられたテレビモニターとより成る仰臥者用の視聴方向に対応したテレビモニター装置。
【請求項２】
前記の回転柱は仰臥者のオーバーヘッドの左右に約１８０度に回転可能であり、前記の略水平の支持棒は前期回転柱との取り付け長さ、角度が調整可能であり、かつ前記のテレビモニターは前記支持棒とヒンジでもって回転可能であり、かつ、前記回転柱の動作を回転柱軸部に設置した電動機。減速機、及び仰臥者手元の操作装置でもって可能ならしめたことを特徴とする請求項１に記載した仰臥者用の視聴方向に対応したテレビモニター装置。
【発明の詳細な説明】
【技術分野】
【０００１】  ベッド上の仰臥者の顔の上を左右１８０後回転し、どの角度でも停める事が出来るテレビモニター装置。
【背景技術】
【０００２】  従来、ベッド、布団、に寝てテレビを見る時は、テレビを横に置き顔だけテレビに向けるか顔と、体をテレビに向けてみるしかなかった。
【特許文献】  特開２００８−２７２３９２  多用途スタンド  特開２００７−３２９６５９  液晶テレビスタンド  特開２００７−１９５９０３  モニタースタンド
【発明の開示】
【発明が解決しようとする課題】
【０００３】  横に置いたテレビを長い時間同じ姿勢で見て居ると、身体が部分的に痛くなったり凝ったりする、まして病院に入院中で患部が痛いため、ある範囲しか体を傾けない人は、非常に無理な姿勢でテレビを見読けなくてはならない。
【課題を解決するための手段】
【０００４】  上記課題を解決する為の、本発明の仰臥者用の視聴方向に対応したテレビモニター装置は、ベッド上の仰臥者のオーバーヘッドに取り付けられた回転柱と、該回転柱の先端に取り付けられた略水平の支持棒と、該支持棒に取り付けられたテレビモニターとより成る仰臥者用の視聴方向に対応したテレビモニター装置より構成される。【０００５】  すなわち〔図１〕において、電動機（停止時ブレーキ付き）、減速機（１）から出た回転柱（３）は約１８０度回転する、回転柱に直角に着いた支持棒（４）とこの先に取り付けられたモニターも回転する、見る人は図２において右回転押ボタン（６）と左回転押しボタン（７）により、Ａ−Ｂ間どの位置でもモニターを動かせ止める事が出来、色々な角度でモニターを見られ、リラックスしてテレビをみられる。
【発明の効果】
【０００６】  〔図２〕の様にテレビモニタ−が人の顔の上を約１８０度何処えでも動かせて、何処の位置でも止める事が出来る、為ある方向でテレビを見ていて疲れるとボタンを押して、テレビの位置を変え寝返りを打ってリラックスしてテレビを見られる。
【発明を実施するための最良の形態】
【０００７】  以下、図に従って実施例を説明する。
〔図１〕において電動機（停止時ブレーキ付）、減速機（１）から出た回転軸（２）立て立てられた回転柱（３）、から直角に取付けた支持棒（４）の先端にテレビモニター（５）を取付ける。
一方〔図２〕において手元操作装置右回転押しボタン（６）を押すと回転柱（３）は（Ｂ）の方向に回転し、ボタンから手を離すと柱（３）はその場で止まりブレーキが掛かる。
押しボタンを押し読ずけ柱（３）が（Ｂ）の位置に来ると、カム光電管（８）に依り自動的に止まる、一方左回転押しボタン（７）を押すと柱（３）は（Ａ）の方向に回転する、柱（３）は（Ａ）−（Ｂ）間回転自在であり任意の位置で止められる。
又〔図３〕の（９）の様に投影機を使えばモニタ−（５）スクーリンですみ、布か紙一枚で作ることが出来軽くなり、寝ている人に圧迫感すくない、現在は高価であるが応用例として実施される。
【図面の簡単な説明】
【０００８】
【図１】  本発明装置の実施例の側面よりのずである。
【図２】  本発明装置の実施例の正面よりの図である。
【図３】  本発明装置の応用例の側面図である。
【符号の説明】
【０００９】  １  電動機、減速機（停止時ブレ−キ付）
２  回転軸
３  回転柱
４  支持棒
５  テレビモニタ−
６  右回転押しボタン
７  左回転押しボタン
８  カム  光電管
９  投影機
【図１】
2011142600.tif 000003
【図２】
2011142600.tif 000004
【図３】
2011142600.tif 000005
(57)【要約】【課題】流通に適した食品素材を提供することを目的とする。【解決手段】生の食品素材を分割した後、加熱処理して水分を減少させ水分活性を０．３〜０．８に調整する、流通に適した食品素材の製造法。【選択図】    なし【特許請求の範囲】
【請求項１】
生の食品素材を分割した後、加熱処理して水分を減少させ水分活性を０．３〜０．８に調整することを特徴とする、流通に適した食品素材の製造法。
【請求項２】
生の食品素材が生の野菜類、果物類、畜肉、魚肉である請求項１記載の食品素材の製造法。
【請求項３】
加熱処理が天日干しである請求項１または２記載の食品素材の製造法。
【請求項４】
食品材料をあらかじめ水道水に焼成カキ殻と備長炭を６時間以上浸積させた水に食塩を重量で０．１パーセント添加した水で水洗する、前記請求項１、２或いは３記載の食品素材の製造法。
【発明の詳細な説明】
【技術分野】
【０００１】
本発明は、流通に適した食品素材の製造法及び販売方法に関する。
【背景技術】
【０００２】
従来、食品素材は生で供給するか、例えば乾燥しいたけのような完全に乾燥した状態で流通させているのが現状である。また加工食品にあっては例えば半生麺のような一部半生の状態で流通する場合もあるが、これはもっぱら保存を目的に行われていたものである。
【発明の概要】
【発明が解決しようとする課題】
【０００３】
本発明は、従来の生の食品素材の持ち味を残しつつ、保存性にも優れ、かつ流通に好適な食品素材の処理方法について種々研究を重ねた結果本発明を完成するに至った。
【課題を解決するための手段】
【０００４】
まず本発明は、生の食品素材を分割処理に施す。例えば生野菜であれば、葉物の場合であれば１枚ずつに分割し、さらに必要であればこれを切ってさらに小さくする。また肉類であれば適宜の大きさに分割し、さらに必要により、たたいたり、刺孔処理を行ってもよい。
【０００５】
分割された食品素材は、次に加熱処理を行って水分活性０．３〜０．８、好ましくは０．４〜０．７５に調整する。加熱処理条件として生の食品素材の水分活性より少なくとも０．５好ましくは０．２５減少させることが必要である。
加熱処理手段としては、天日乾燥のような自然乾燥あるいは乾燥機等による機器乾燥のいずれも採用することができるが、天日乾燥のような自然乾燥の方が食品素材の旨味がより一層増すので好ましい。
【０００６】
食品材料を処理前に洗うとさらに良く、洗う方法としては、食品材料を水道水に焼成カキ殻と備長炭を６時間以上浸積させた水に食塩を重量で０．１パーセント添加した水で洗い、水切りをする。
また、オゾン照射により除菌・脱臭させることも好ましい。
【０００７】
本発明方法に用いられる食品素材としては、白菜、キャベツ、ホウレンソウ等の葉物類、ダイコン、人参、レンコン、カブ、サツマイモ、ジャガイモ等の根菜類、リンゴ等の果物類、鶏肉、豚肉、牛肉等の蓄肉類、アジ、イワシ、サンマ等の魚肉類が揚げられる。
【発明の効果】
【０００８】
本発明方法によれば、以下のような種々の効果が得られる。
（１）    
生の食品素材を分割・半乾燥することによって、いわゆる規格外品も使用することができるので産業廃棄物の量を減らすことができ、食品とすることができる。最後は飼料にして使用する事も出来る。
（２）    
生の食品素材を分割することによって種々の包装容器が使用できる。
（３）    
本発明方法によれば、日持ちがする、軽量化できる、カサが減る、旨味が増す、調理がし易い、味付けが簡単にできる、素材の香りが立つ、食品素材への吸収が良くなるので調味料の使用量が少なくて済むことにより塩分・糖分の使用量を減らすことができる、更にガス、電気等のエネルギー消費削減等の利点がある。
（４）    
食品素材のボリュームが減るので売り場・収納面積が少なくて済み、また取扱いも簡単である。
（５）    
廃棄する量が減るのでその分自給自足率が高まる。
（６）    
汎用の容器を使用することができ、また保存期間が生の場合に比べて長いので流通がし易くなる。
（７）    
生産者の現地加工、流通過程における市場者の加工処理が容易に行え、製造拠点を任意の場所で多くすることができる。例えば田畑等の収穫箇所、空地、埋立地、サイロ、野菜・魚肉市場、スーパー、マーケット、自宅等。
（８）    
飼料・肥料としても使用することができる。
（９）    
エコ社会を構築することができる。
（１０）食品を無駄にしない国家社会・企業の育成ができる。
（１１）冷凍保存をすれば、長期に使用する事ができる。
（１２）保存により季節を過ぎても食する事ができる。
（）新規雇用の創設ができる。
【発明を実施するための形態】
【０００９】
実施例１
輪切りに裁断した茄子（水分活性０．９８）を天日乾燥して水分活性を０．７９に調整した。
このものを袋に詰めて保存したところ１０日間保存することができた。冷凍保存３ヶ月間保存する事ができた。
【００１０】
実施例２
輪切りに裁断した茄子（水分活性０．９８）を天日乾燥して水分活性を０．３８に調整した。
このものを袋に詰めて保存したところ１５日間保存することができた。冷凍保存３ヶ月間保存する事ができた。
【００１１】
実施例３
輪切りに裁断した茄子（水分活性０．９８）を水道水に焼成カキ殻と備長炭を６時間浸積させた水に食塩を重量で０．１パーセント添加した水で洗い、水切りをして、５時間天日にさらした後に扇風機で乾燥して水分活性を０．７８に調整した。
このものを袋に詰めて保存したところ１５日間保存することができた。冷凍保存３ヶ月間保存する事ができた。
【００１２】
実施例４
輪切りに裁断した茄子（水分活性０．９８）を水道水に焼成カキ殻と備長炭を６時間浸積させた水に食塩を重量で０．１パーセント添加した水で洗い、水切りをして、５時間天日にさらした後に扇風機で乾燥して水分活性を０．４に調整した。
このものを袋に詰めて保存したところ１８日間保存することができた。冷凍保存３ヶ月間保存する事ができた。
【００１３】
実施例５
薄切りにした豚肉（水分活性０．９７）を天日乾燥して水分活性を０．８５に調整した。
このものを袋に詰めて冷蔵保存したところ１０日間保存することができた。冷凍保存３ヶ月間保存する事ができた。
(57)【要約】      （修正有）【課題】加熱調理後の食用油を吸着濾過剤で「脱酸・脱色・脱臭」効果を保たせ、連続して使用できる方法を提供する。【解決手段】加熱調理後の食用油を食品添加物として精製された二酸化ケイ素（ＳｉＯ２）と酸化マグネシウム（ＭｇＯ）を造粒混合し、ステンレス製の網ケース又は濾紙袋に入れて濾過する。濾過方法は循環ポンプ付濾過機であるか自然落下式濾過機であるかはこだわらない。【選択図】なし【特許請求の範囲】
【請求項１】
加熱調理後の食用油を食品添加物として精製された二酸化ケイ素（ＳｉＯ２）と酸化マグネシウム（ＭｇＯ）の造粒混合物よりなる吸着濾過剤で濾過再生することを特徴とした食用油の精製法。
【請求項２】
該吸着濾過剤は二酸化ケイ素（ＳｉＯ２）５０〜７０，酸化マグネシウム（ＭｇＯ）５０〜３０の重量％の割合で造粒混合された粉体・個体であり使用後に洗浄できる硬度があるものである。請求項１に記載の食用油の精製法。
【請求項３】
該吸着濾過剤を、加熱調理後の食用油に対し２〜１０重量％の割合でステンレス網容器又は濾紙袋に充填して吸着濾過するものである。請求項１又は２に記載の食用油の精製法。
【発明の詳細な説明】
【技術分野】
【０００１】本発明は、使用後の揚物用食用油を濾過剤によって濾過精製し、廃棄することなく連続的に使用可能とするための処理方法に係るものである。【０００２】使用後の食用油は揚物に吸収された分を除き、調理時に１７０℃前後に加熱されているので熱と水分と揚げカス等によって徐々に酸化し、重合、分解等の化学反応が起こり劣化現象として、悪臭を出し、色相が悪くなるので廃油として処分されている。【０００３】揚物用食用油を大量に使用している惣菜製造業等は濾過機を導入して、濾紙等を通して、油を濾過しているが濾紙だけでは劣化された成分は除去することができないので、数回使用した後に廃棄処分している。【０００４】循環ポンプ付濾過機の中にシリカ・マグネシウム等の粉体を混合した濾過剤を入れ吸着濾過し、濾過によって減少した油分を新しい油を継ぎ足し、連続的に使用する方法もあるが、処理後の濾過剤を可燃物として廃棄している、この濾過剤はセラミックなのと汚れた油が吸着しているので可燃物ではない。濾過後の濾過剤を回収、洗浄後再利用することが重要。
【発明が解決しようとする課題】
【０００５】本発明は使用後の食用油を新油と交換することなく、揚物に付着して減少した油の量を補充するのみで「脱酸・脱色・脱臭」効果を保ち、連続的に使用できる方法を提供する目的。
【課題を解決するための手段】
【０００６】使用後の油を１１０℃位で二酸化ケイ素（ＳｉＯ２）と酸化マグネシウム（ＭｇＯ）を造粒混合した吸着濾過剤をセットした循環ポンプ付濾過機で濾過精製する。
該濾過剤は食品添加物として精製されたもので二酸化ケイ素５０〜７０酸化マグネシウム５０〜３０重量％割合で造粒混合したものであり、濾過後回収し、洗浄して再利用できる形態であること。該濾過剤の形態は粉体・球体・円筒等、いずれかはこだわらない。該濾過剤は加熱調理後の食用油に対し、２〜１０重量％の割合で使用する。
表１に濾過剤の物性一例を示した。
【０００７】
【表１】
2011142898.tif 000002
2011142898.tif 000003
【発明の効果】
【０００８】本発明の食用油濾過精製法においては、加熱調理後の食用油を造粒混合した二酸化ケイ素と酸化マグネシウムで吸着濾過することにより「脱酸・脱色・脱臭」の効果を保ち、減少した分に新しい油を継ぎ足すことで長期間連続して使用できるので廃油処理に排出するＣＯ２削減にも貢献する。
また、濾過剤は洗浄して再利用できるので、経済的にも効果がある。
【発明を実施するための形態】
【０００９】本発明は食用油が加熱調理後に生じる劣化物を除去し「脱酸・脱色・脱臭」効果を出すために使用後の食用油を二酸化ケイ素と酸化マグネシウムの造粒混合体の濾過剤で濾す食用油の精製法である。濾過剤の形態は濾過後に洗浄できて再利用可能な造粒体であること。濾過剤は濾過中に溶解して、その成分が溶出しないことの確認を表２に示した。
【００１０】
【表２】
2011142898.tif 000004
【実施例】
【００１１】一般に販売されている食用油２０ｌを揚物用フライヤーに入れて９０℃の状態で冷凍唐揚５Ｋｇ、冷凍コロッケ５Ｋｇ揚げ、さらに油温を１６０℃に上げて冷凍とんかつ２０枚を揚げて食用油の酸化値を厚生省の劣化基準２．５（ＡＶ値）までにした。加熱調理後の油を二酸化ケイ素と酸化マグネシウムの造粒混合体４００ｇ入りの濾紙袋をセットした循環ポンプ付濾過機で約２０分間濾過した、結果酸化値は０．５まで戻った。
色相（目視）も濾過前の茶色から濾過後淡黄色になった、臭気も通常の食用油の臭いにもどった。濾過中に削減した油量分、新油を継ぎ足し同様に揚物を揚げて酸化値を２．５から３まで上げた後に濾過を実施したが効果は同様である。１２回の濾過テストの結果、加熱調理後毎回、二酸化ケイ素と酸化マグネシウムの造粒混合した濾過剤で濾過精製して、削減した分に新油を継ぎ足しすれば連続して使用できることが判明した。
(57)【要約】      （修正有）【課題】パンにハンバーグや野菜などの具をはさんだパンを食べるときに、具の一部や汁などで口の周りや手、服などがよごれてしまうことを解決するパンと、さらには、いろいろな味を楽しめるパンを提供する。【解決手段】中央部分と周辺部分の一部を筒状に取り除いて、かわりにハンバーグや野菜などの具を収容できるようにし、またはパンを長くしてもちやすくする。また内部にも皮のある筒状のパンを作ることによりパリッとした食感を提供し、さらには複数の具セットの使用によりいろいろな味を楽しむことが可能となる。【選択図】図１
2011142897.tif 000002
【特許請求の範囲】
【請求項１】
パンの一端とパンの内部を筒状に取り除いて、ハンバーグや野菜などの具（以後”具”と言う）を収容できるようにしたことを特徴としたパン及びハンバーガー。
【請求項２】
請求項１において、パンの長さが長いことを特徴としたパン及びハンバーガー。
【請求項３】
請求項１及び請求項２に使用することもできるパンであって、具の汁がしみ込みにくいようにするため、筒状にくりぬかれたパン本体の内面も、パンの外側と同じように皮が作られていることを特徴とするパン及びハンバーガーとその製造方法。
【請求項４】
上記［請求項１］、［請求項２］、［請求項３］において、ハンバーグや野菜などの具もしくは、液体状やゼリー状の具を収容するときに、具を飲食可能なオブラート状のもので包装しておくことを特徴とした、具の収容方法。
【請求項５】
パンにハンバーグや野菜などの具を収容するときに、複数の具の組み合わされたものをオブラート状のもので小さく包装しておき（以下“具セット“言う）、この具セット複数をパンの中に順番につめたり、あるいは順番を決めずにつめたことを特徴としたパン及びハンバーガー。
【発明の詳細な説明】
【技術分野】
【０００１】この発明は、パンの中央部分と周辺部分の一部を筒状に取り除いて、かわりにハンバーグや野菜などの具を収容できるようにしたことを特徴としたパンに関するものである。
【背景技術】
【０００２】  パンにハンバーグや野菜などの具をはさんだハンバーガーは人気のある食べ物であるが、食べるときに具の一部や汁などで口の周りや手、服などがよごれてしまう【０００３】  上記を解決しようとして  実用新案公開平５−５３４９０や実用新案公開平６−７９２８５などがあるが、実用新案公開平５−５３４９０では依然として口の周りや手、服などの汚れが解決された状態にはいたっておらず、また実用新案公開平６−７９２８５では、新鮮な野菜を提供することは不可能であり、また客の注文に応じて多彩な具の入ったパンを過不足なく提供することはむつかしく、又、一つの商品の味は一種類となってしまう。
【発明の開示】
【発明が解決しようとする課題】
【０００４】  このように従来の方法には上記のような問題がある。本発明が解決しようとする課題はこの問題点であり、パンにハンバーグや野菜などの具をはさんだパンを食べるときに、具の一部や汁などで口の周りや手、服などがよごれてしまうことを解決するハンバーグを提供し、又、多彩な具セットにより、いろいろな味をたのしめるハンバーグを提供することを目的とする。
【課題を解決するための手段】
【０００５】本発明においてはパンの一端と中央部分［図１］を取り除く。【０００６】このとき、あらかじめ筒状のパンを作っておいてこれを使用することもできるが、［図２］のような状態で、内部を筒状の空洞にするパンを製造するための棒Ｂも加熱しながらパンを焼くと筒状のパンができあがり、中身を取り除く手間を節約でき、さらに筒状のパンの内側にも皮を作ることができ、具の汁などがパンに染み込むことを防ぐことができる。【０００７】取り除かれた部分にハンバーグや野菜、その他の具を収容する。【０００８】項目［０００７］において、ハンバーグや野菜などの具をパンの奥までいれるため、紙状の物でハンバーグや野菜などの具を筒状に巻いてパンの中に入れ、あとで紙状の物を取り除くこともできる。【０００８】さらに具セットの具の内容をいろいろ変えておき、複数の具セットをパンの中に入れることで、一口ごとにいろいろな味が楽しめるが、具セットの具の順番を決めずに具セットつくることで、具セットの味がランダムに味わえる楽しさも提供できる。
ここで、この具セットは、具セットの味が他の具セットの味とまざらないようにしている効果もある。
【発明の効果】
【０００９】本発明においては、パンの上下を切り分けずに筒状のパンを使用するので、食べたときにパンの上下がずれたり、中の具や汁が、食べた側や反対側や横側にはみ出してくるといったことがなくなり、結果として手や服を汚すことがなくなり、さらには複数の具セットの使用によりいろいろな味を楽しむことが可能となる。
ここで、この具セットは、具の味が他の具セットの味とまざらないようにしている効果もある。【００１０】  またパン自体を長くし、その一端を切りとって内部を筒状にくりぬき、ここに具をつめてパンを立てることにより、パンを動かしても具がこぼれることがない。【００１１】  さらにこのとき［図２］のような状態でパンを焼くと筒状のパンの内側にも皮を作ることができ、具の汁などがパンに染み込むことを防ぐことができる。これによりパンが汁でぐっしょりぬれてしまうことをふせぎ、パリッとした状態で食することができて食感がよくなる。
【実施例】
【００１２】［図１］は本発明において、パンの中央部分と周辺部分の一部を筒状に取り除いて、かわりにハンバーグや野菜などの具を収容できるようにしたことを示している。【００１３】［図２］は上記の実施例において使用するパンを作る際に、パンの中身をくりぬくのではなく、パン自体を筒状につくり、内側もパリッとさせる方法の例のひとつをしめしたものである。このように棒状の型の周りにパンの素をつけて焼き上げる。【００１４】［図３］は上記パンのなかに入れるための具セットである。
【図面の簡単な説明】
【００１５】
【図１】既製のパンで、パンの一端とパンの内部を筒状に取り除いたパン
【図２】内側をパリッとさせるパンを製造するための炉と道具
【図３】パンのなかに入れるための具セット
【符号の説明】
【００１６】  Ａ      パンを製造するための炉
Ｂ      内部を筒状の空洞にするパンを製造するための棒
Ｃ      パンの素
Ｄ      具セットの具
Ｅ      オブラート状のもの
【図１】
2011142897.tif 000003
【図２】
2011142897.tif 000004
【図３】
2011142897.tif 000005